(57)【要約】      （修正有）【課題】宅地区割り用間仕切り壁等として用いるにあたり、施工作業の容易化、施工期間の短縮化、及び施工コストの削減を図ることが可能な間仕切り壁を提供する。【解決手段】略矩形板状の底版２と、底版の端部に略垂直に立設された略矩形板状の壁部３とからなる、縦断面がＬ字形状である間仕切り壁１であって、間仕切り壁は、底版と壁部とをプレキャストコンクリートにより一体成形したものであり、間仕切り壁の左右端部側に、隣り合って設置される間仕切り壁相互を連結するためのボルト又はナットを収容する凹部４が形成され、凹部の間仕切り壁突き合わせ側にボルトを挿通する孔又は切り欠きを形成したものであることを特徴とする。【選択図】図１
0003185413.tif 000002
【実用新案登録請求の範囲】
【請求項１】
略矩形板状の底版と、当該底版の端部に略垂直に立設された略矩形板状の壁部とからなる、縦断面がＬ字形状である間仕切り壁であって、
当該間仕切り壁は、当該底版と当該壁部とをプレキャストコンクリートにより一体成形したものであり、
当該間仕切り壁の左右端部側に、隣り合って設置される間仕切り壁相互を連結するためのボルト又はナットを収容する凹部が形成され、当該凹部の間仕切り壁突き合わせ側に当該ボルトを挿通する孔又は切り欠きを形成したものであることを特徴とする間仕切り壁。
【請求項２】
前記間仕切り壁は、隣接する間仕切り壁と直角に連結する場合に、底版同士の重なり合う部分を切り欠いて、前記凹部を当該隣接する間仕切り壁の凹部に対応する位置に形成したものである請求項１に記載の間仕切り壁。
【請求項３】
前記間仕切り壁は、隣接する間仕切り壁と連結した後に、前記凹部及び隣接する間仕切り壁との隙間にシーリング材又はモルタルを充填したものである請求項１又は請求項２に記載の間仕切り壁。
【請求項４】
前記間仕切り壁は、その壁部の上面にフェンス支柱立て込み用穴を形成したものである請求項１〜請求項３のいずれかに記載の間仕切り壁。
【考案の詳細な説明】
【技術分野】
【０００１】
本件出願に係る考案は、間仕切り壁に関する。特に本件考案は、宅地区割りの境界を明確にする間仕切り壁に関するものである。
【背景技術】
【０００２】
従来より、宅地区割りの境界には、区割り位置を明確にするために間仕切り壁が設置される。図８は、従来の宅地区割りの境界に用いる間仕切り壁を例示した斜視図である。図８に示す間仕切り壁５０は、現場打ち基礎５１と、当該現場打ち基礎５１に略垂直に竣立して設けられた複数の鉄筋５２ｂと、当該鉄筋５２ｂに沿って積み上げた空洞ブロック５２ａとからなる壁部５２とから構成される。図８に示す壁部５２は、空洞ブロック５２ａが図中矢印方向に積み上げられ、積み上がられた当該空洞ブロック５２ａ同士の隙間にモルタルを充填することで、堅固に連結して形成されたものである。
【考案の概要】
【考案が解決しようとする課題】
【０００３】
しかし、上述した従来の宅地区割りの境界を明確にするために用いる間仕切り壁５０は、その施工の際に、コンクリート打設作業、配筋作業、空洞ブロック５２ａ積み上げ作業、モルタル充填作業等の多くの作業行程を要するため、施工に要する時間が長くなり、施工コストの増大を招いていた。
【０００４】
例えば、コンクリート打設作業においては、コンクリートを養生する作業に数日を要するため、工期を長引かせる一つの要因となっていた。また、空洞ブロック５２ａ積み上げ作業においては、壁部５２の高さを高くするほど積み上げる空洞ブロック５２ａの数が多くなり、その結果、施工期間が長くなり、施工コストの増大を招いていた。また、モルタル充填作業においては、積み上げた空洞ブロック５２ａ同士を堅固に連結するために当該空洞ブロック５２ａの空洞内部及び継目にモルタルを手作業で隙間なく押し込み、隙間からはみだしたモルタルは綺麗に取り除かなくてはならないため、多大な労力と熟練した技術とを要するものであった。更に、モルタルに関しても、コンクリートと同様に養生期間を設ける必要があり、施工期間の長期化を招く要因となっていた。
【０００５】
また、上述した従来の宅地区割り用間仕切り壁５０は、雨天等天候の悪いときには施工作業が行えず予定通りに作業の進行を行えないため、作業従事者のスケジュールにも影響が及んでいた。特に近年は、構造物の構築に携わる熟練工の不足が深刻化しており、このような間仕切り壁５０を施工する作業者の手配が困難となっている背景事情もある。そして、従来の宅地区割り用間仕切り壁５０においては、当該間仕切り壁の施工を熟練工が行ったとしても、気象状況の変化が空洞ブロックを伸縮させて、当該空洞ブロックの継ぎ目に押し込まれたモルタルに割れ等が生じる恐れがあった。
【０００６】
本件考案は、このような従来の問題点に着目してなされたものであり、宅地区割り用として用いるにあたり、施工作業の容易化、施工期間の短縮化、及び施工コストの削減を図ることが可能な間仕切り壁の提供を目的とする。
【課題を解決するための手段】
【０００７】
そこで、本件考案者等は、鋭意研究を行った結果、以下に述べる間仕切り壁を採用することで、上記課題を解決することに想到した。
【０００８】
本件考案に係る間仕切り壁は、略矩形板状の底版と、当該底版の端部に略垂直に立設された略矩形板状の壁部とからなる、縦断面がＬ字形状である間仕切り壁であって、当該間仕切り壁は、当該底版と当該壁部とをプレキャストコンクリートにより一体成形したものであり、当該間仕切り壁の左右端部側に、隣り合って設置される間仕切り壁相互を連結するためのボルト又はナットを収容する凹部が形成され、当該凹部の間仕切り壁突き合わせ側に当該ボルトを挿通する孔又は切り欠きを形成したものであることを特徴とする。
【０００９】
また、本件考案に係る間仕切り壁は、隣接する間仕切り壁と直角に連結する場合に、底版同士の重なり合う部分を切り欠いて、前記凹部を当該隣接する間仕切り壁の凹部に対応する位置に形成したものであることが好ましい。
【００１０】
また、本件考案に係る間仕切り壁は、隣接する間仕切り壁と連結した後に、前記凹部及び隣接する間仕切り壁との隙間にシーリング材又はモルタルを充填したものであることが好ましい。
【００１１】
また、本件考案に係る間仕切り壁は、その壁部の上面にフェンス支柱立て込み用穴を形成したものであることが好ましい。
【考案の効果】
【００１２】
本件考案に係る間仕切り壁によれば、多大な労力や高度な熟練を要さずとも、短期間且つ低コストで施工を行うことが出来る。また、本件考案に係る間仕切り壁によれば、天候に左右されることもなく、予定通りに施工作業を進めることが出来る。
【図面の簡単な説明】
【００１３】
【図１】本件考案に係る間仕切り壁の斜視図である。
【図２】（ａ）は本件考案の間仕切り壁の上面図であり、（ｂ）は本件考案の間仕切り壁の正面図であり、（ｃ）は本件考案の間仕切り壁の側面図である。
【図３】本件考案に係る間仕切り壁同士の連結構造を説明するための図である。
【図４】本件考案に係る間仕切り壁を施工した状態を例示した断面図である。
【図５】本件考案に係る間仕切り壁同士の図３とは異なる連結構造を説明するための図である。
【図６】本件考案に係る間仕切り壁の側面に化粧模様を施した場合を例示した斜視図である。
【図７】本件考案に係る間仕切り壁にフェンスを取り付けた場合を例示した斜視図である。
【図８】従来の宅地区割り用間仕切り壁を例示した斜視図である。
【考案を実施するための形態】
【００１４】
以下、本件考案の実施の形態を図面に基づいて詳細に説明する。図１は、本件考案に係る間仕切り壁の斜視図である。図２は、（ａ）が本件考案の間仕切り壁の上面図であり、（ｂ）が本件考案の間仕切り壁の正面図であり、（ｃ）が本件考案の間仕切り壁の側面図である。図３は、本件考案に係る間仕切り壁同士の連結構造を説明するための図である。
【００１５】
本件考案に係る間仕切り壁１は、略矩形板状の底版２と、当該底版２の端部に略垂直に立設された略矩形板状の壁部３とからなる、縦断面がＬ字形状である間仕切り壁である。そして、当該間仕切り壁１は、当該底版２と当該壁部３とをプレキャストコンクリートにより一体成形したものであり、当該間仕切り壁１の左右端部側に、隣り合って設置される間仕切り壁１相互を連結するためのボルト１０又はナット１３を収容する凹部４が形成され、当該凹部４の間仕切り壁１突き合わせ側に当該ボルト１０を挿通する孔５又は切り欠き（不図示）を形成したものであることを特徴とするものである。
【００１６】
図１及び２に示すように、本件考案に係る間仕切り壁１は、底版２と壁部３とからなり、断面がＬ字形状の躯体を有することで基礎コンクリート等を介さずとも地盤上に安定して自立することが出来るため、施工作業の効率化を図ることが可能となり、耐震性等にも優れたものとなる。ここで、図１〜３には、本件考案に係る間仕切り壁１の底版２の厚さが均一に示されているが、重量を軽減させて運搬性及び施工性の向上を図ると共に、材料費を削減させて製品コストの低減を図るべく、当該底版２に関しては壁部３側から端部側に向かってその厚さが薄くなる様に上面に傾斜を設けることも出来る。そして、本件考案に係る間仕切り壁１は、当該底版２と当該壁部３とをプレキャストコンクリート（ｐｒｅｃａｓｔ  ｃｏｎｃｒｅｔｅ）により一体成形したものであるため、従来必要であった現場でのコンクリート打設作業やコンクリートの養生期間が不要になり、施工作業が効率良く行なえて天候にも左右されることがない。すなわち、本件考案に係る間仕切り壁１は、プレキャストコンクリート製であることで、施工の際に熟練工や特殊な設備が不要となるため、施工コストを従来に比べて大幅に削減することが出来る。更に、本件考案に係る間仕切り壁１によれば、従来の間仕切り壁５０のような空洞ブロック５２ａの積み上げ作業も不要となるため、現場作業員の労力の低減や作業人員の削減を図ることもでき、施工期間の短縮化、及び施工コストの低減を効果的に図ることが出来る。
【００１７】
ちなみに、コンクリートは、結合材であるセメントペースト中のセメントと水が化学反応し、ガラス質の結晶をつくることで硬化するものであり、硬化の過程において温度や湿度の影響を強く受ける。そのため、品質及び耐久性に優れたコンクリート製品を製造するにあたっては、これら環境条件を考慮することが重要となる。また、品質の優れたコンクリート製品を製造するには、打設工程において、水分の多くなった上面付近のコンクリートの密度を高めるための叩き等の作業を入念に行う必要や、養生工程において、生コン表面の乾燥や凍結から保護するために外気と遮断してセメントの水和に必要な水の不足を防ぐ必要がある。これら工程を入念に行わなければ、コンクリート製品にクラックが発生する等して強度及び耐久性が劣ることとなる。
【００１８】
この点に関しても、本件考案に係る間仕切り壁１は、プレキャストコンクリート製であるため、工場等の製造設備によって、鉄筋の加工及び配筋から型枠の成型、そしてコンクリートの打設までの一連の作業を常に同じ条件で行うことができ、安定して高い品質の間仕切り壁１を製造することが可能となる。また、本件考案に係る間仕切り壁１は、予め工場等で製造し保管しておくことが出来るため、施工性を向上させて作業員の作業工数を大幅に削減することが出来る。また、本件考案に係る間仕切り壁１は、コンクリートの打設工程において、型枠内に板状や棒状の鋼材や合成樹脂繊維等の補強材を含有させることによって、間仕切り壁１の強度及び耐久性を更に向上させることが出来る。
【００１９】
なお、本件考案に係る間仕切り壁１は、使用するセメントの種類について限定されず、用途に応じて例えばポルトランドセメント（ＪＩＳ  Ｒ  ５２１０）や混合セメント等を使用することができ、セメントに加える砂や砂利等の骨材の大きさや種類に関しても、用途に応じて大きさや種類を選択することが出来る。また、本件考案に係る間仕切り壁１は、水セメント比に関しても、使用目的や製品の使用上の要求事項を考慮して適宜設定することができ、コンクリートの養生方法に関しても特に限定されず、例えば常温養生、加圧養生、オートクレーブ養生等を採用することが出来る。
【００２０】
そして、本件考案に係る間仕切り壁１には、その左右端部側に、隣り合って設置される間仕切り壁１相互を連結するためのボルト１０又はナット１３を収容する凹部４が形成され、当該凹部４の間仕切り壁１突き合わせ側に当該ボルト１０を挿通する孔５又は切り欠きを形成することで、間仕切り壁１同士の連結を容易なものにすることが出来る。図３に示すように、本件考案に係る間仕切り壁１は、壁部３の左右端部側に形成された凹部４内にボルト１０、ワッシャー１１，１２、ナット１３が配されて、当該凹部４に形成した孔５を合わせ、当該ナット１３に対して螺合するボルト１０をスパナ等の汎用工具を用いて回転させながら締め付けることにより、隣接する間仕切り壁１同士を連結することが出来る。そして、本件考案に係る間仕切り壁１に形成する凹部４の数や位置に関しては、図１〜３に示す数や位置に限定されるものではなく、使用環境に合わせて適宜設定することが出来る。以上のことから、本件考案に係る間仕切り壁１によれば、隣り合って設置される間仕切り壁１相互を強固に連結し、当該間仕切り壁１の位置ずれを防止することが出来る。ちなみに、本件考案に係る間仕切り壁１は、プレキャストコンクリート製であるため、当該凹部４に形成する孔５又は切り欠きの位置を高精度で形成することができ、間仕切り壁１同士の連結を問題なく行うことが出来る。
【００２１】
なお、本件考案に係る間仕切り壁１は、当該凹部４に形成するボルト１０挿通用の孔５を長孔とすることで、間仕切り壁１同士の連結作業を更に容易にし、より短時間で間仕切り壁１同士の連結を行うことが可能となる。また、当該凹部４内には、当該孔５又は切り欠きが形成された面に、同様の孔又は切り欠きを形成した金属製のプレート（不図示）を配置することで、間仕切り壁同士の連結状態をより安定させることが出来る。本件考案に係る間仕切り壁１は、間仕切り壁１同士の連結作業を迅速に行えることから、長手方向の長さを短くして取り扱い性を向上させることができ、現場における配設作業も小型建設機械等を用いて簡単に行うことが可能となる。
【００２２】
図４は、本件考案に係る間仕切り壁を施工した状態を例示した断面図である。本件考案に係る間仕切り壁１は、プレキャストコンクリート製であることで、十分な強度及び耐久性を得ることが出来るため、従来の間仕切り壁５０に比べ壁厚を薄くして軽量化及び自立安定性の向上を図ることが出来る。また、本件考案に係る間仕切り壁１は、断面がＬ字形状の躯体を有するため、施工状態において底版２の上に土砂１００を載置することで、土圧による位置ずれや転倒を効果的に防ぐことが可能となる。
【００２３】
また、本件考案に係る間仕切り壁１は、プレキャストコンクリート製であることで、強度及び耐久性に優れた間仕切り壁１を安定して製造することが出来るため、底版２の長手方向と垂直な水平方向の長さを長くすることで土留め用としても好適に用いることが出来る。ちなみに、本件考案に係る間仕切り壁１を宅地区割りの境界を明確にするために用いる場合に、運搬性及び施工性を考慮すると、当該間仕切り壁１の垂直方向の高さが３００ｍｍ〜９００ｍｍ程度、底版２の厚さが１００ｍｍ程度、壁部３の厚さが１５０ｍｍ程度であることが好ましい。例えば、本件考案に係る間仕切り壁１の垂直方向の高さを７００ｍｍとした場合に、底版２の長手方向と垂直な水平方向の長さをＸとし、当該間仕切り壁１の垂直方向の高さをＹとしたときの断面寸法比（Ｙ／Ｘ）は、底版２上に土砂を載置しないとすれば「２．８」程度とすることが好ましい。ここで、当該断面寸法比（Ｙ／Ｘ）が「２．８」程度未満の場合には、底版２の重量が増加して運搬性及び施工性が低下すると共に、製品コストも高くなるため好ましくない。一方、当該断面寸法比（Ｙ／Ｘ）が「２．８」程度を超える場合には、地盤上に設置した時の自立安定性に欠けてしまう。これに対し、本件考案に係る間仕切り壁１を土留め用として用いる場合には、間仕切り壁１の垂直方向の高さ、底版２の厚さ、及び壁部３の厚さを上述した宅地区割り用として用いる場合と同じ条件にしたときに、底版２の長手方向と垂直な水平方向の長さをＸとし、当該間仕切り壁１の垂直方向の高さをＹとしたときの断面寸法比（Ｙ／Ｘ）は底版２上に土砂を載置するとすれば「１．８」程度とすることが好ましい。ここで、当該断面寸法比（Ｙ／Ｘ）が「１．８」程度未満の場合には、底版２の重量が増加して運搬性及び施工性が低下すると共に、製品コストも高くなるため好ましくない。一方、当該断面寸法比（Ｙ／Ｘ）が「１．８」程度を超える場合には、地盤上に設置した時に土砂による土圧等の外力に抵抗することが出来ず、間仕切り壁１が転倒する恐れが生じてしまう。
【００２４】
なお、上述した本件考案に係る間仕切り壁１の、宅地区割りの境界を明確にするために用いる場合と、土留め用として用いる場合とにおける、底版２の長手方向と垂直な水平方向の長さをＸとし、当該間仕切り壁１の垂直方向の高さをＹとしたときのそれぞれの断面寸法比（Ｙ／Ｘ）の数値に関しては、一例を示したに過ぎず、限定されるものではない。本件考案に係る間仕切り壁１における当該断面寸法比（Ｙ／Ｘ）の数値は、宅地区割りの境界を明確にするために用いる場合や土留め用として用いる場合等、用途に応じておおよその好ましい数値を導き出すことが出来るが、当該間仕切り壁１の材質及び垂直方向の高さＹや使用状態等の違いによってこの好ましい数値に変動が生じ得る。
【００２５】
また、本件考案に係る間仕切り壁１’は、隣接する間仕切り壁１と直角に連結する場合に、底版２，２’同士の重なり合う部分を切り欠いて、凹部４’を当該隣接する間仕切り壁の凹部４に対応する位置に形成したものであることが好ましい。
【００２６】
図５は、本件考案に係る間仕切り壁同士の図３とは異なる連結構造を説明するための図である。本件考案に係る間仕切り壁１’は、底版２’の一部を切り欠き、且つ当該間仕切り壁１’に形成される凹部４’の位置を変更することで、間仕切り壁１，１’同士を直角に連結することが可能となる。ここで、図５に示す本件考案に係る間仕切り壁１’は、当該間仕切り壁１’に形成された凹部４’を当該隣接する間仕切り壁１の凹部４に対応する位置に形成し、間仕切り壁１，１’の左右端部側に形成された凹部４，４’内に配されたボルト１０とナット１３とを用いて隣接する間仕切り壁１，１’同士を強固に連結することが出来る。このように、本件考案に係る間仕切り壁１’によれば、隣接する間仕切り壁１と直角に連結することができ、また、全て直線状の間仕切り壁１，１’のみを用いることで製造コストの増大や施工作業の複雑化を防ぐことが出来る。
【００２７】
図６は、本件考案に係る間仕切り壁の側面に化粧模様を施した場合を例示した斜視図である。図６に示すように、本件考案に係る間仕切り壁１，１’は、壁部３における左右両端側の側面の小口面を含めた全周面に化粧模様を施すことが出来るため、例え隣接する間仕切り壁１，１’が直角に連結した場合であっても化粧模様が連続して形成され、壁面の美観を損ねることがない。従来の間仕切り壁５０は、単に宅地区割りの境界を明確にする目的でしか用いられていなかったため、壁面に化粧模様が施されておらず美観に乏しいものであった。本件考案に係る間仕切り壁１，１’は、プレキャストコンクリート製であるため、予めコンクリ−ト打設面に化粧模様を形成しておくことで、間仕切り壁１，１’の壁部２，２’表面に様々な模様を施すことができ、例えば街路等に面して設置された場合であっても街の景観を損ねることがない。
【００２８】
また、本件考案に係る間仕切り壁１，１’は、隣接する間仕切り壁１，１’と連結した後に、凹部４，４’及び隣接する間仕切り壁１，１’との隙間にシーリング材又はモルタルを充填したものであることが好ましい。
【００２９】
本件考案に係る間仕切り壁１，１’は、隣接する間仕切り壁，１’と連結した後に、凹部４，４’及び隣接する間仕切り壁１，１’との隙間にシーリング材又はモルタルを充填して止水処理を施すことで、クラックの発生等に起因した止水性の低下を抑制して耐久性の向上を図ることが可能となる。ここで、モルタルは、セメントと砂に水を加えて練ったものであり、砂を混ぜることでクラックの伸びを止め、水の蒸発に伴う収縮によるクラックの発生を抑える効果も発揮することが出来る。また、シーリング材としては、例えばシリコン系、ブチルゴム系、ポリウレタン系等から適宜適切なものを使用条件に合わせて選択することが出来る。
【００３０】
また、本件考案に係る間仕切り壁１，１’は、その壁部２，２’の上面にフェンス支柱立て込み用穴６，６’を形成したものであることが好ましい。
【００３１】
図７は、本件考案に係る間仕切り壁にフェンスを取り付けた場合を例示した斜視図である。本件考案に係る間仕切り壁１，１’は、その壁部の上面にフェンス支柱立て込み用穴６，６’（不図示）を形成したことで、この穴６，６’に支柱２１を嵌入し固定してフェンス２０等を取り付けることが出来る。このように、本件考案に係る間仕切り壁１，１’は、壁部３，３’の上面にフェンス支柱立て込み用穴６，６’を形成することで、その用途に応じたフェンス２０の取付けが簡単に出来る。なお、フェンス２０を取付けない場合には、フェンス支柱立て込み用穴６，６’は不要となる為、モルタル等を充填して穴を埋めることが出来る。また、図示していないが、本件考案に係る間仕切り壁１，１’は、その壁部３，３’の上面に施工用アンカーを埋設することも出来る。本件考案に係る間仕切り壁１，１’は、その壁部３，３’の上面に施工用アンカーを埋設することで、この施工用アンカーを用いて図７に示す形態のフェンスに限らず様々な構造部材を取り付けることが可能となる。
【００３２】
このように、本件考案に係る間仕切り壁１，１’は、予め製造してある当該間仕切り壁１，１’を地盤上に設置するだけで宅地区割りの境界を明確にすることが出来るため、施工作業の容易化、施工期間の短縮化、及び施工コストの削減を実現することが出来る。
【産業上の利用可能性】
【００３３】
本件考案に係る間仕切り壁を採用することにより、施工作業の容易化、施工期間の短縮化、及び施工コストの削減を効果的に図ることが出来る。また、本件考案に係る間仕切り壁は、強度及び耐久性に優れるため、宅地区割りの境界を明確にする目的以外にも、土留め用等様々な用途に好適に用いることが出来る。
【符号の説明】
【００３４】
１、１’    間仕切り壁
２、２’    底版
３、３’    壁部
４、４’    凹部
５、５’    孔
【図１】
0003185413.tif 000003
【図２】
0003185413.tif 000004
【図３】
0003185413.tif 000005
【図４】
0003185413.tif 000006
【図５】
0003185413.tif 000007
【図６】
0003185413.tif 000008
【図７】
0003185413.tif 000009
【図８】
0003185413.tif 000010